(57)【要約】【課題】複数個の棟用換気部材１０を連結したとき連結部からの雨漏れを防止できる棟用換気部材を提供すること。【解決手段】、複数個の棟用換気部材１０を連結するとき、右側のカバーフレーム１１ａは第１上側係合凸片１１ｊが第２上側係合凸片１１ｋに対し上側から係合し、下フレーム１２は第１下側係合凸片１２ｃが第２下側係合凸片１２ｄに対し上側から係合する。一方、左側のカバーフレーム１１ａでは第３上側係合凸片１１ｓが第４上側係合凸片１１ｍに対し下側から係合し、下フレーム１２は第３下側係合凸片１２ｅが第４下側係合凸片１２ｆに対し下側から係止する。連結される上フレーム１１の左右のカバーフレーム１１ａ及び左右の下フレーム１２が互いに上下逆に係合するので、複数個の棟用換気部材１０を連結するとき両棟用換気部材１０の連結部のガタツキを抑制でき、ガタツキによる雨漏れを防止できる。【選択図】図１
2020063555.tif 000002
【特許請求の範囲】
【請求項１】
左右一対のカバーフレームを連結する連結部に桟瓦の尻部を掛止する掛止段部を形成した上フレームと、各カバーフレームに対向するように上フレームに組み付けられた下フレームを備え、
各カバーフレームと下フレームで箱体を形成し、
箱体の上面に第１通気口を形成し、箱体の反連結部側の側面に第２通気口を形成し、箱体の連結部側の側面に第３通気口を形成し、
連結部の前端部中央に嵌合用凸片を設け、連結部の後端部中央に嵌合用切り欠き部を形成し、一の上フレームの嵌合用凸片を他の上フレームの嵌合用切り欠き部に嵌合して一の上フレームと他の上フレームを連結し、
連結部が野地に形成した棟換気口に対向するように下フレームを野地に固定し、屋根の最上段の桟瓦の尻部を掛止段部に掛止して該桟瓦を箱体に被せ、棟換気口から順に第３通気口、箱体の内部空間、及び第１通気口と第２通気口へと通じる通気通路を形成し、該通気通路を通して小屋裏の空気を換気する棟用換気部材であって、
右側のカバーフレームの前端部にその厚みの下半分を切り欠いて第１上側係合凸片を形成し、
右側のカバーフレームの後端部にその厚みの上半分を切り欠いて第２上側係合凸片を形成し、
右側の下フレームの前端部にその厚みの下半分を切り欠いて第１下側係合凸片を形成し、
右側の下フレームの後端部にその厚みの上半分を切り欠いて第２下側係合凸片を形成し、
左側のカバーフレームの前端部にその厚みの上半分を切り欠いて第３上側係合凸片を形成し、
左側のカバーフレームの後端部にその厚みの下半分を切り欠いて第４上側係合凸片を形成し、
左側の下フレームの前端部にその厚みの上半分を切り欠いて第３下側係合凸片を形成し、
左側の下フレームの後端部にその厚みの下半分を切り欠いて第４下側係合凸片を形成し、
一の上フレームの嵌合用凸片を他の上フレームの嵌合用切り欠き部に嵌合して一の上フレームと他の上フレームを連結するとき、
第１上側係合凸片と第２上側係合凸片、第３上側係合凸片と第４上側係合凸片、第１下側係合凸片と第２下側係合凸片、及び第３下側係合凸片と第４下側係合凸片が係合するようにしたことを特徴とする棟用換気部材。
【請求項２】
嵌合用凸片の端部の外周に下側受け片を形成し、嵌合用凸片の中央部に上側押え片を形成し、
一の上フレームの嵌合用凸片に他の上フレームの嵌合用切り欠き部を嵌合して一の上フレームと他の上フレームを連結するとき、嵌合用切り欠き部の端部が下側受け片と上側押え片で挟持されるようにしたことを特徴とする請求項１に記載の棟用換気部材。
【請求項３】
下フレームに軸部を突設するとともに、上フレームに軸部が嵌合する筒軸部を設け、
かつ下フレームにビス用貫通穴を形成し、上フレームにビスがねじ込まれるネジ孔を形成した筒軸部を設けたことを特徴とする請求項１に記載の棟用換気部材。
【発明の詳細な説明】
【技術分野】
【０００１】
本発明は棟用換気部材に関する。
【背景技術】
【０００２】
棟用換気部材の一形式として、特許第４０５４１３０号公報には棟の屋根地に形成した棟換気口に被せて、小屋裏の空気を換気する棟用換気部材が開示されている。
この棟用換気部材は左右一対のカバーフレームを連結する連結部に桟瓦の尻部を掛止する掛止段部を形成した上フレームと、各カバーフレームに対向するように上フレームに組み付けられた下フレームを備え、各カバーフレームと下フレームで箱体が形成されている。
【０００３】
箱体の上面には第１通気口が形成され、箱体の反連結部側の側面に第２通気口が形成され、箱体の連結部側の側面に第３通気口が形成されている。また、上フレームの連結部の前端部中央に嵌合用切り欠き部が形成され、連結部の後端部中央に嵌合用凸片が形成されている。
一の棟用換気部材の上フレームの嵌合用凸片に他の棟用換気部材の上フレームの嵌合用切り欠き部を嵌合することにより、一の棟用換気部材と他の棟用換気部材を連結することができる。
【０００４】
この棟用換気部材は以下のように棟に敷設される。連結部が野地に形成した棟換気口に対向するように下フレームを野地に固定し、屋根の最上段の桟瓦の尻部を掛止段部に掛止して該桟瓦を箱体に被せる。これにより、棟換気口から順に第３通気口、箱体の内部空間、及び第１通気口と第２通気口へと通じる通気通路が形成されるので、該通気通路を通して小屋裏の空気を換気することができる。
【先行技術文献】
【特許文献】
【０００５】
【特許文献１】特許第４０５４１３０号公報
【発明の概要】
【発明が解決しようとする課題】
【０００６】
上記した棟用換気部材を棟換気口に設置するとき、棟用換気部材の上フレームの嵌合用凸片に他の棟用換気部材の上フレームの嵌合用切り欠き部を嵌合し、複数個の棟換気用部材を棟換気口の長さに合わせて連結する。そして嵌合用凸片と嵌合用切り欠き部との嵌合部が外れないようにボンドで接着する。
しかし、従来の棟用換気材は、複数個を連結したとき、嵌合部がガタツキ易く、そこから雨漏れが発生するおそれがある。また、嵌合用凸片が折れ曲がり易く、そのためボンドの塗布作業がし難い。
また、箱体に被せられる桟瓦の重みで箱体が変形するおそれがある。
【０００７】
本発明はかかる点に鑑み、複数個の棟用換気部材を連結したとき連結部からの雨漏れを防止できる棟用換気部材を提供することを目的とする。
また、複数個の棟用換気部材の連結作業が容易に実施できる棟用換気部材を提供することを目的とする。
さらにまた、桟瓦を載置しても変形しない棟用換気部材を提供することを目的とする。
【課題を解決するための手段】
【０００８】
請求項１に記載の発明は、
左右一対のカバーフレームを連結する連結部に桟瓦の尻部を掛止する掛止段部を形成した上フレームと、各カバーフレームに対向するように上フレームに組み付けられた下フレームを備え、
各カバーフレームと下フレームで箱体を形成し、
箱体の上面に第１通気口を形成し、箱体の反連結部側の側面に第２通気口を形成し、箱体の連結部側の側面に第３通気口を形成し、
連結部の前端部中央に嵌合用凸片を設け、連結部の後端部中央に嵌合用切り欠き部を形成し、一の上フレームの嵌合用凸片を他の上フレームの嵌合用切り欠き部に嵌合して一の上フレームと他の上フレームを連結し、
連結部が野地に形成した棟換気口に対向するように下フレームを野地に固定し、屋根の最上段の桟瓦の尻部を掛止段部に掛止して該桟瓦を箱体に被せ、棟換気口から順に第３通気口、箱体の内部空間、及び第１通気口と第２通気口へと通じる通気通路を形成し、該通気通路を通して小屋裏の空気を換気する棟用換気部材であって、
右側のカバーフレームの前端部にその厚みの下半分を切り欠いて第１上側係合凸片を形成し、
右側のカバーフレームの後端部にその厚みの上半分を切り欠いて第２上側係合凸片を形成し、
右側の下フレームの前端部にその厚みの下半分を切り欠いて第１下側係合凸片を形成し、
右側の下フレームの後端部にその厚みの上半分を切り欠いて第２下側係合凸片を形成し、
左側のカバーフレームの前端部にその厚みの上半分を切り欠いて第３上側係合凸片を形成し、
左側のカバーフレームの後端部にその厚みの下半分を切り欠いて第４上側係合凸片を形成し、
左側の下フレームの前端部にその厚みの上半分を切り欠いて第３下側係合凸片を形成し、
左側の下フレームの後端部にその厚みの下半分を切り欠いて第４下側係合凸片を形成し、
一の上フレームの嵌合用凸片を他の上フレームの嵌合用切り欠き部に嵌合して一の上フレームと他の上フレームを連結するとき、
第１上側係合凸片と第２上側係合凸片、第３上側係合凸片と第４上側係合凸片、第１下側係合凸片と第２下側係合凸片、及び第３下側係合凸片と第４下側係合凸片が係合するようにしたことを特徴とする。
【０００９】
請求項２に係る発明は、請求項１に記載の棟用換気部材において、
嵌合用凸片の端部の外周に下側受け片を形成し、嵌合用凸片の中央部に上側押え片を形成し、
一の上フレームの嵌合用凸片に他の上フレームの嵌合用切り欠き部を嵌合して一の上フレームと他の上フレームを連結するとき、嵌合用切り欠き部の端部が下側受け片と上側押え片で挟持されるようにしたことを特徴とする。
【００１０】
請求項３に係る発明は、請求項１に記載の棟用換気部材において、
下フレームに軸部を突設するとともに、上フレームに軸部が嵌合する筒軸部を設け、
かつ下フレームにビス用貫通穴を形成し、上フレームにビスがねじ込まれるネジ孔を形成した筒軸部を設けたことを特徴とする。
【発明の効果】
【００１１】
請求項１に係る発明によれば、複数個の棟用換気部材を連結するとき、右側のカバーフレームは前端部が後端部に対し上側から係止し、下フレームは前端部が後端部に対し上側から係止する。
一方、左側のカバーフレームは前端部が後端部に対し下側から係止し、下フレームは前端部が後端部に対し下側から係止する。
このように連結される上フレームの左右のカバーフレーム及び左右の下フレームが互いに上下逆に係止される。また、カバーフレームの各上側係合凸片と下フレームの下側係合凸片の厚みをそれぞれカバーフレームの厚みの半分及び下フレームの厚みの半分にしたので、複数個の棟用換気部材を連結するとき連結部のガタツキを抑制でき、ガタツキによる雨漏れを防止できる。
【００１２】
請求項２に記載の発明によれば、複数個の棟用換気部材を連結するとき、嵌合用切り欠き部の端部が嵌合用凸片に設けた下側受け片と上側押え片で挟持されるので、嵌合用凸片の折れ曲がりを防止でき、嵌合用凸片を嵌合用切り欠き部にボンド接着する作業が容易になる。
【００１３】
請求項３に記載の発明によれば、上フレームと下フレームが軸部と筒軸部、及びビスと筒軸部を介して一体に連結できるので、箱体の構造が強化され、桟瓦の重量で棟用換気部材が変形するのを防止できる。
【図面の簡単な説明】
【００１４】
【図１】本発明の実施例に係る棟用換気部材を示す表面側から見た斜視図である。
【図２】同棟用換気部材を示す裏面側から見た斜視図である。
【図３】同棟用換気部材を示す裏面側から見た分解斜視図である。
【図４】図２の４−４線から切断した部分断面図である。
【図５】同棟用換気部材の嵌合用凸片と嵌合用切り欠き部を示す表面側から見た斜視図である。
【図６】図５の６−６線から切断した部分断面図である。
【図７】図５の７−７線から切断した部分断面図である。
【図８】同棟用換気部材の嵌合用凸片を示す部分拡大斜視図である。
【図９】同棟用換気部材の嵌合用凸片を示す部分拡大断面図である。
【図１０】二つを連結した同棟用換気部材を示す表面側から見た斜視図である。
【図１１】同棟用換気部材の嵌合用凸片と嵌合用切り欠き部の嵌合を示す表面側から見た斜視図である。
【図１２】図１１の１０−１０線から切断した部分断面図である。
【図１３】図１１の１１−１１線から切断した部分断面図である。
【図１４】同棟用換気部材を敷設した棟を示す説明図である。
【実施例】
【００１５】
以下に本発明を図面に基づき説明する。図１〜図３には本発明の一実施例に係る棟用換気部材１０が示されている。当該棟用換気部材１０は１枚の上フレーム１１と２枚の下フレーム１２を備えている。上フレーム１１は左右一対のカバーフレーム１１ａと両カバーフレーム１１ａを連結する連結フレーム１１ｂで構成されている。各カバーフレーム１１ａは上面カバー１１ｃと側面カバー１１ｄ，１１ｅで構成され、側面カバー１１ｄと連結フレーム１１ｂが連接している。連結フレーム１１ｂは山形を有し、側面カバー１１ｄと連結フレーム１１ｂで桟瓦の尻部が掛止される掛止段部１１ｆを形成している。
【００１６】
図３及び図４に示すように、上フレーム１１の内面には第１筒軸部１１ｇと第２筒軸部１１ｈが突設され、第２筒軸部１１ｈにはネジ孔１１ｉが形成されている。一方、下フレーム１２には軸部１２ａが突設されるとともにビス用貫通穴１２ｂが形成されている。
下フレーム１２は第１筒軸部１１ｇに軸部１２ａを嵌入し、ビス１３をビス用貫通穴１２ｂからネジ孔１１ｉにねじ込むことにより、各カバーフレーム１１ａに対向するように上フレーム１１に組み付けられている。そして、各カバーフレーム１１ａと下フレーム１２で箱体１０ａが区画形成されている。
【００１７】
箱体１０ａの上面を形成する上面カバー１１ｃには第１通気口１０ｂが形成され、箱体１０ａの反連結フレーム１１ｂ側の側面を形成する側面カバー１１ｅに第２通気口１０ｃが形成されている。また、箱体１０ａの連結フレーム１１ｂ側の側面を形成する側面カバー１１ｄと下フレーム１２との間に第３通気口１０ｄ（図２参照）が形成されている。
【００１８】
図５及び図６に示すように、右側のカバーフレーム１１ａの上面カバー１１ｃの前端部にはその厚みの下半分を切り欠いて第１上側係合凸片１１ｊが形成され、右側のカバーフレーム１１ａの上面カバー１１ｃの後端部にその厚みの上半分を切り欠いて第２上側係合凸片１１ｋが形成されている。
また、右側の下フレーム１２の前端部にその厚みの下半分を切り欠いて第１下側係合凸片１２ｃが形成され、右側の下フレーム１２の後端部にその厚みの上半分を切り欠いて第２下側係合凸片１２ｄが形成されている。
一方、図５及び図７に示すように、左側のカバーフレーム１１ａの上面カバー１１ｃの前端部にその厚みの上半分を切り欠いて第３上側係合凸片１１ｓが形成され、左側のカバーフレーム１１ａの上面カバー１１ｃの後端部にその厚みの下半分を切り欠いて第４上側係合凸片１１ｍが形成されている。
また、左側の下フレーム１２の前端部にその厚みの上半分を切り欠いて第３下側係合凸片１２ｅが形成、左側の下フレーム１２の後端部にその厚みの下半分を切り欠いて第４下側係合凸片１２ｆが形成されている。
【００１９】
連結フレーム１１ｂの前端部中央には嵌合用凸片１１ｎが設けられ、後端部中央に嵌合用切り欠き部１１ｐが形成されている。
図５に示すように、嵌合用凸片１１ｎの端部の外周に下側受け片１１ｑが設けられ、嵌合用凸片１１ｎの中央部に上側押え片１１ｒが設けられている。図８及び図９に拡大して図示するように、上側押え片１１ｒの中央部の裏側には凸条１１ｔが設けられている。
【００２０】
本実施例に係る棟用換気部材の構造は以上の通りであって、以下にその使用方法を説明する。図１０及び図１１に示すように、一の棟用換気部材１０の嵌合用凸片１１ｎを他の棟用換気部材１０の嵌合用切り欠き部１１ｐに嵌合して二つの棟用換気部材１０を連結する。二つの棟用換気部材１０を連結すると、図１２に示すように、第１上側係合凸片１１ｊと第２上側係合凸片１１ｋ及び第１下側係合凸片１２ｃと第２下側係合凸片１２ｄが係合する。同様に、第３上側係合凸片１１ｓと第４上側係合凸片１１ｍ及び第３下側係合凸片１２ｅと第４下側係合凸片１２ｆが係合する。また、図１３に示すように、嵌合用切り欠き部１１ｐの端部が下側受け片１１ｑと上側抑え片１１ｒで挟持される。そこで、上側押え片１１ｒの部分を加熱して凸条１１ｔを嵌合用切り欠き部１１ｐの端部に溶着し、二つの棟用換気部材１０を仮に連結しておく。そして、棟に敷設するに先立ち嵌合用凸片１１ｎと嵌合用切り欠き部１１ｐをボンドで接着する。
【００２１】
そこで、図１４に示すように、連結した二つの棟用換気部材１０を、連結フレーム１１ｂが野地２０に形成した棟換気口２０ａに対向するように下フレーム１２を野地２０に固定し、屋根の最上段の桟瓦２１の尻部を掛止段部１１ｆに掛止して該桟瓦２１を箱体１０ａに被せる。
これにより、棟換気口２０ａから順に第３通気口１０ｄ、箱体１０ａの内部空間、及び第１通気口１０ｂと第２通気口１０ｃへと通じる通気通路３０が形成されるので、該通気通路３０を通して小屋裏３１の空気を換気できる。
【００２２】
本実施例に係る棟用換気部材１０によれば、複数個の棟用換気部材１０を連結するとき、右側のカバーフレーム１１ａは第１上側係合凸片１１ｊが第２上側係合凸片１１ｋに対し上側から係合し、下フレーム１２は第１下側係合凸片１２ｃが第２下側係合凸片１２ｄに対し上側から係合する。
一方、左側のカバーフレーム１１ａでは第３上側係合凸片１１ｓが第４上側係合凸片１１ｍに対し下側から係合し、下フレーム１２は第３下側係合凸片１２ｅが第４下側係合凸片１２ｆに対し下側から係止する。
このように連結される上フレーム１１の左右のカバーフレーム１１ａ及び左右の下フレーム１２が互いに上下逆に係合する。また、カバーフレーム１１ａの各上側係合凸片１１ｊ，１１ｋ，１１ｓ，１１ｍと下フレームの下側係合凸片１２ｃ，１２ｄ，１２ｅ，１２ｆの厚みをそれぞれカバーフレーム１１ａの厚みの半分及び下フレーム１２の厚みの半分にしたので、複数個の棟用換気部材１０を連結するとき両棟用換気部材１０の連結部のガタツキを抑制でき、ガタツキによる雨漏れを防止できる。
【００２３】
また、複数個の棟用換気部材１０を連結するとき、嵌合用切り欠き部１１ｐの端部が嵌合用凸片１１ｎに設けた下側受け片１１ｑと上側押え片１１ｒで挟持されるので、嵌合用凸片１１ｎの折れ曲がりを防止でき、嵌合用凸片１１ｎを嵌合用切り欠き部１１ｐにボンド接着する作業が容易になる。
【００２４】
さらにまた、上フレーム１１と下フレーム１２が軸部１２ａと第１筒軸部１１ｇ、及びビス１３と第２筒軸部１１ｈを介して一体に連結できるので、箱体１０ａ構造が強化され、桟瓦２１の重量で棟用換気部材１０が変形するのを防止できる。
【符号の説明】
【００２５】
１０…棟用換気部材
１０ａ…箱体
１０ｂ…第１通気口
１０ｃ…第２通気口
１０ｄ…第３通気口
１１…上フレーム
１１ａ…カバーフレーム
１１ｂ…連結フレーム
１１ｃ…上面カバー
１１ｄ，１１ｅ…側面カバー
１１ｆ…掛止段部
１１ｇ…第１筒軸部
１１ｈ…第２筒軸部
１１ｉ…ネジ孔
１１ｊ…第１上側係合凸片
１１ｋ…第２上側係合凸片
１１ｓ…第３上側係合凸片
１１ｍ…第４上側係合凸片
１１ｎ…嵌合用凸片
１１ｐ…嵌合用切り欠き部
１１ｒ…上側押え片
１２…下フレーム
１２ａ…軸部
１２ｂ…ビス用貫通穴
１２ｃ…第１下側係合凸片
１２ｄ…第２下側係合凸片
１２ｅ…第３下側係合凸片
１２ｆ…第４下側係合凸片
１３…ビス
２０…野地
２０ａ…棟換気口
２１…桟瓦
３０…通気通路
３１…小屋裏
【図１】
2020063555.tif 000003
【図２】
2020063555.tif 000004
【図３】
2020063555.tif 000005
【図４】
2020063555.tif 000006
【図５】
2020063555.tif 000007
【図６】
2020063555.tif 000008
【図７】
2020063555.tif 000009
【図８】
2020063555.tif 000010
【図９】
2020063555.tif 000011
【図１０】
2020063555.tif 000012
【図１１】
2020063555.tif 000013
【図１２】
2020063555.tif 000014
【図１３】
2020063555.tif 000015
【図１４】
2020063555.tif 000016